(57)【要約】【課題】非接触ＩＣカードに記録されている情報の読取りを選択的に可能にすることのできる非接触ＩＣカード収納具を提供する。【解決手段】非接触ＩＣカード収納具１００Ａは、導電体２０を内蔵して構成される。このカード収納具１００Ａにおいて、非接触ＩＣカード７０１および７０２は、第１の位置と第２の位置との間で移動可能に収納される。非接触ＩＣカード７０１および７０２が第１の位置にあるときには、磁界が印加されても、この磁界が導電体２０により遮蔽されてカード７０１・７０２の起動が防止される。また、非接触ＩＣカード７０１または７０２のいずれか一方が第２の位置にあるときには、磁界が印加されると、この磁界により第２の位置にある非接触ＩＣカード７０１または７０２が起動されて、このカードに記録されている情報の読取りが行われる。第１の位置にある非接触ＩＣカード７０１または７０２は起動されない。【選択図】  図５
2009099122.tif 000002
【特許請求の範囲】
【請求項１】
導電体を内蔵してなる非接触ＩＣカード収納具であって、
１枚の非接触ＩＣカードを収納するための第１収納部と、別の１枚の非接触ＩＣカードを収納するための第２収納部とを表裏一体に備え、
前記２枚の非接触ＩＣカードは８６ｍｍ×５４ｍｍの大きさを有し、各々情報が記録されたＩＣチップと、カードの外周付近に配設されたアンテナコイルとを内蔵し、
前記第１収納部と前記第２収納部との間には、８６ｍｍ×４７ｍｍ、７３ｍｍ×５４ｍｍ、または７７ｍｍ×４９ｍｍのうちいずれかの大きさを有し、前記２枚の非接触ＩＣカードと長手方向が同一となる向きに重畳されて配置された前記導電体が介在され、
前記第１収納部または前記第２収納部のいずれかの側から１０Ａ／ｍの磁界が印加されると、
前記２枚の非接触ＩＣカードのうち、前記導電体の一部のみが重畳しているいずれか一方の非接触ＩＣカードのみが起動されて前記一方の非接触ＩＣカードに記録されている前記情報の読取りが行われ、前記導電体の全面が重畳している他方の非接触ＩＣカードは前記磁界が前記導電体により遮蔽されて起動されないことを特徴とする非接触ＩＣカード収納具。
【請求項２】
導電体を内蔵してなる非接触ＩＣカード収納具であって、
１枚の非接触ＩＣカードを収納するための第１収納部と、別の１枚の非接触ＩＣカードを収納するための第２収納部とを表裏一体に備え、
前記２枚の非接触ＩＣカードは８６ｍｍ×５４ｍｍの大きさを有し、各々情報が記録されたＩＣチップと、カードの外周付近に配設されたアンテナコイルとを内蔵し、
前記第１収納部と前記第２収納部との間には、８６ｍｍ×４７ｍｍ、７３ｍｍ×５４ｍｍ、または７７ｍｍ×４９ｍｍのうちいずれかの大きさを有する前記導電体と、前記導電体よりも大きい磁性体とからなる積層物が、前記導電体の全面が前記２枚の非接触ＩＣカードと重畳されるように前記２枚の非接触ＩＣカードと長手方向が同一となる向きに介在され、
前記第１収納部または前記第２収納部のいずれかの側から１０Ａ／ｍの磁界が印加されると、前記２枚の非接触ＩＣカードのうち、前記積層物を構成する前記磁性体に隣接する一方の非接触ＩＣカードのみが起動されて前記一方の非接触ＩＣカードに記録されている前記情報の読取りが行われ、前記導電体に隣接する他方の非接触ＩＣカードは前記磁界が前記導電体により遮蔽されて起動されないことを特徴とする非接触ＩＣカード収納具。
【請求項３】
導電体を内蔵してなる非接触ＩＣカード収納具であって、
起動を所望する１枚の第１の非接触ＩＣカードを収納するための第１収納部が形成された第１面と、起動を所望しない１枚以上の第２の非接触ＩＣカードを収納するための第２収納部が形成された第２面とを表裏一体に備え、
前記第１および第２の非接触ＩＣカードは８６ｍｍ×５４ｍｍの大きさを有し、各々情報が記録されたＩＣチップと、カードの外周付近に配設されたアンテナコイルとを内蔵し、
前記第１面と前記第２面との間には、
前記第１収納部に収納された前記第１の非接触ＩＣカードと各辺を揃えて重畳するように配置された磁性体と、
それぞれ８６ｍｍ×４７ｍｍ、７３ｍｍ×５４ｍｍ、または７７ｍｍ×４９ｍｍのうちいずれかの大きさを有し、前記第２収納部に対応して、全面が前記第２収納部に収納された前記各第２の非接触ＩＣカードと重畳するように配置された少なくとも２枚の前記導電体とが介在され、
前記非接触ＩＣカード収納具は、前記第１面および前記第２面の中心線で前記第１面が外側となり前記第２面が内側となるよう折畳まれ、
前記第１収納部は、二分された前記第１面の一方の領域の中央に、収納される前記第１の非接触ＩＣカードの相対的に長い一辺が前記中心線に直交または平行する向きに配置され、
前記第２収納部は、前記中心線に直交する中心線を対称軸として２列に配置され、
前記第１面の一方の領域に１０Ａ／ｍの磁界が印加されるとき、
前記第１面において、前記第１収納部が、前記第１の非接触ＩＣカードの前記相対的に長い一辺が前記中心線に直交する向きに配置されている場合には、対応する領域に位置する前記導電体の前記２列間の距離が０．６ｍｍ以上であれば、前記第１の非接触ＩＣカードのみが起動されて前記第１の非接触ＩＣカードに記録されている前記情報の読取りが行われ、前記第２の非接触ＩＣカードは起動されず、
前記第１面において、前記第１収納部が、前記第１の非接触ＩＣカードの前記相対的に長い一辺が前記中心線に平行する向きに配置されている場合には、対応する領域に位置する前記導電体の前記２列間の距離が０．１ｍｍ以上であれば、前記第１の非接触ＩＣカードのみが起動されて前記第１の非接触ＩＣカードに記録されている前記情報の読取りが行われ、前記第２の非接触ＩＣカードは起動されないことを特徴とする非接触ＩＣカード収納具。
【請求項４】
導電体を内蔵してなる非接触ＩＣカード収納具であって、
起動を所望する１枚の第１の非接触ＩＣカードを収納するための第１収納部が形成された第１面と、起動を所望しない１枚以上の第２の非接触ＩＣカードを収納するための第２収納部が形成された第２面とを表裏一体に備え、
前記第１および第２の非接触ＩＣカードは８６ｍｍ×５４ｍｍの大きさを有し、各々情報が記録されたＩＣチップと、カードの外周付近に配設されたアンテナコイルとを内蔵し、
前記第１面と第２面との間には、それぞれ８６ｍｍ×４７ｍｍ、７３ｍｍ×５４ｍｍ、または７７ｍｍ×４９ｍｍのうちいずれかの大きさを有し、全面が前記第２収納部に収納された前記各第２の非接触ＩＣカードと重畳するように、前記各第２の非接触ＩＣカードと長手方向が同一となる向きに一列に配置された２枚以上の前記導電体が介在され、
前記非接触ＩＣカード収納具は、前記第１面および前記第２面の中心線で前記第１面が外側となり前記第２面が内側となるよう折畳まれ、
前記第１収納部は、二分された前記第１面の一方の領域に、収納される前記第１の非接触ＩＣカードの相対的に長い一辺が前記中心線に平行する向きに配置され、
前記第２収納部は、収納される前記第２の非接触ＩＣカードの相対的に長い一辺が前記中心線に直交する向きに配置され、
前記第１面の一方の領域に１０Ａ／ｍの磁界が印加されるとき、
前記第１の非接触ＩＣカードの相対的に長い一辺と、前記辺に平行する前記導電体の端部との間の距離が７ｍｍ以上であるか、または、前記第１の非接触ＩＣカードの相対的に短い一辺と、前記辺に平行する前記導電体の端部との間の距離が１３ｍｍ以上である場合には、前記磁界により前記第１の非接触ＩＣカードのみが起動されて前記第１の非接触ＩＣカードに記録されている情報の読取りが行われ、前記第２の非接触ＩＣカードは起動されないことを特徴とする非接触ＩＣカード収納具。
【請求項５】
導電体を内蔵してなる非接触ＩＣカード収納具であって、
起動を所望する１枚の第１の非接触ＩＣカードを収納するための第１収納部と、前記第１の非接触ＩＣカードとは別のタイミングで起動を所望する第３の非接触ＩＣカードを収納するための第３収納部とが形成された第１面と、起動を所望しない１枚以上の第２の非接触ＩＣカードを収納するための第２収納部が形成された第２面とを表裏一体に備え、
前記第１乃至第３の非接触ＩＣカードは８６ｍｍ×５４ｍｍの大きさを有し、各々情報が記録されたＩＣチップと、カードの外周付近に配設されたアンテナコイルとを内蔵し、
前記第１面と前記第２面との間には、
それぞれ前記第１の非接触ＩＣカードおよび前記第３の非接触ＩＣカードと各辺を揃えて重畳するように配置された磁性体と、
それぞれ８６ｍｍ×４７ｍｍ、７３ｍｍ×５４ｍｍ、または７７ｍｍ×４９ｍｍのうちいずれかの大きさを有し、全面が前記第２収納部に収納された前記各第２の非接触ＩＣカードと重畳するように、前記各第２の非接触ＩＣカードと長手方向が同一となる向きに一列に配置された２枚以上の前記導電体とが介在され、
前記非接触ＩＣカード収納具は、前記第１面および前記第２面の中心線で前記第１面が外側となり前記第２面が内側となるよう折畳まれ、
前記第１収納部は二分された前記第１面の一方の領域に位置し、前記第３収納部は二分された前記第１面の他方の領域に位置し、
前記第２収納部は、収納される前記第２の非接触ＩＣカードの相対的に長い一辺が前記中心線に直交する向きに配置され、
前記第１面の一方の領域に１０Ａ／ｍの磁界が印加されると、前記第１の非接触ＩＣカードのみが起動されて前記第１の非接触ＩＣカードに記録されている前記情報の読取りが行われ、前記第２および前記第３の非接触ＩＣカードは起動されず、
前記第１面の他方の領域に１０Ａ／ｍの磁界が印加されると、前記第３の非接触ＩＣカードのみが起動されて前記第３の非接触ＩＣカードに記録されている前記情報の読取りが行われ、前記第１および前記第２の非接触ＩＣカードは起動されないことを特徴とする非接触ＩＣカード収納具。
【発明の詳細な説明】
【技術分野】
【０００１】
本発明は非接触ＩＣカード収納具に係り、より詳細には、同時に携帯する複数の非接触ＩＣカードを収納し、そのうち使用を所望する１枚の非接触ＩＣカードのみを起動可能にする非接触ＩＣカード収納具に関する。
【背景技術】
【０００２】
周知のように、非接触ＩＣカードはアンテナコイルとＩＣチップとを内蔵して構成されるものであり、支払・決済や個人認証等をごく短時間に行うことができるため、様々な用途に用いられ、急速に普及が進んでいる。
これに伴い、複数の非接触ＩＣカードを所持することが一般的になってきている。しかしながら、非接触ＩＣカードを所持するにあたっては、次の点がしばしば問題となる。
【０００３】
第一に、非接触ＩＣカードに記録された情報が不正に読取られてしまう、いわゆるスキミングの問題が挙げられる。この点に関しては、例えば特許文献１および２に記載されているように、カードリーダから発せられる磁界を遮蔽して、非接触ＩＣカードを起動させないことにより、情報の読取りを阻止することが行われている。
【０００４】
第二に、複数の非接触ＩＣカードを同時に所持していると、カードリーダからの磁界を受けた場合に、渦電流の発生や起動電力の取り合い等により、所望の１枚のカードのみを起動させることができないという問題がある。これを解消すべく、発明者は先に、２枚の非接触ＩＣカードを所持している場合にこれらを表裏に収納でき、カードリーダにかざした一方の非接触ＩＣカードのみを起動可能とし、他方を起動させないようにするカードケースを開発した（特許第４０１２９３７号）。
【特許文献１】特開平１１−１８４９９３号公報
【特許文献２】特開２００７−１２０１２号公報
【発明の開示】
【発明が解決しようとする課題】
【０００５】
しかしながら、これらの解決策により新たに生じた問題もある。
例えば、前者のようにスキミングを防止することのできるカードケースに非接触ＩＣカードを収納している場合、使用時には非接触ＩＣカードの全体をケースから取り出してカードリーダにかざさなければならない。これは、こうしたカードケースの場合、非接触ＩＣカードに内蔵されたアンテナの位置をすべて覆うように導電体が使用されており、その影響から逃れる必要があるためである。
【０００６】
そして、後者のように２枚のうち１枚の非接触ＩＣカードのみを起動可能とすることのできるカードケースでは、使用の度にカードを目視で確認し、起動を所望する非接触ＩＣカードの側を確実にリーダにかざすようにしなければならない。また、例えば公共交通機関の乗車券として用いられる非接触ＩＣカードを２枚所持し、一方を個人的な利用に、他方を勤務上の利用に用いる場合、かざす面を間違えてしまうことも大いにあり得る。
【０００７】
さらに、使用者が非接触ＩＣカードを鞄等に入れたままでカードリーダの通信圏内に入ると、意図していないにもかかわらず、非接触ＩＣカードが通信を行って料金の引き落とし等が実行されてしまう可能性もある。
【０００８】
これらの問題点に鑑み、本発明は、複数の非接触ＩＣカードを所持するにあたって、所望の１枚の非接触ＩＣカードのみを、所望する時にのみ起動可能とする非接触ＩＣカード収納具を提供しようとするものである。
【課題を解決するための手段】
【０００９】
本発明による非接触ＩＣカード収納具は、導電体を内蔵してなる非接触ＩＣカード収納具であって、１枚の非接触ＩＣカードを収納するための第１収納部と、別の１枚の非接触ＩＣカードを収納するための第２収納部とを表裏一体に備える。２枚の非接触ＩＣカードは８６ｍｍ×５４ｍｍの大きさを有し、各々情報が記録されたＩＣチップと、カードの外周付近に配設されたアンテナコイルとを内蔵する。第１収納部と第２収納部との間には、８６ｍｍ×４７ｍｍ、７３ｍｍ×５４ｍｍ、または７７ｍｍ×４９ｍｍのうちいずれかの大きさを有し、２枚の非接触ＩＣカードと長手方向が同一となる向きに重畳されて配置された導電体が介在される。第１収納部または第２収納部のいずれかの側から１０Ａ／ｍの磁界が印加されると、２枚の非接触ＩＣカードのうち、導電体の一部のみが重畳しているいずれか一方の非接触ＩＣカードのみが起動されて一方の非接触ＩＣカードに記録されている情報の読取りが行われ、導電体の全面が重畳している他方の非接触ＩＣカードは磁界が導電体により遮蔽されて起動されない。
【００１０】
また、本発明による非接触ＩＣカード収納具は、導電体を内蔵してなる非接触ＩＣカード収納具であって、１枚の非接触ＩＣカードを収納するための第１収納部と、別の１枚の非接触ＩＣカードを収納するための第２収納部とを表裏一体に備える。２枚の非接触ＩＣカードは８６ｍｍ×５４ｍｍの大きさを有し、各々情報が記録されたＩＣチップと、カードの外周付近に配設されたアンテナコイルとを内蔵する。第１収納部と第２収納部との間には、８６ｍｍ×４７ｍｍ、７３ｍｍ×５４ｍｍ、または７７ｍｍ×４９ｍｍのうちいずれかの大きさを有する導電体と、導電体よりも大きい磁性体とからなる積層物が、導電体の全面が２枚の非接触ＩＣカードと重畳されるように２枚の非接触ＩＣカードと奈が手方向が同一となる向きに介在される。第１収納部または第２収納部のいずれかの側から１０Ａ／ｍの磁界が印加されると、２枚の非接触ＩＣカードのうち、積層物を構成する磁性体に隣接する一方の非接触ＩＣカードのみが起動されて一方の非接触ＩＣカードに記録されている情報の読取りが行われ、導電体に隣接する他方の非接触ＩＣカードは磁界が導電体により遮蔽されて起動されない。
【００１１】
また、本発明による非接触ＩＣカード収納具は、導電体を内蔵してなる非接触ＩＣカード収納具であって、起動を所望する１枚の非接触ＩＣカードを収納するための第１収納部が形成された第１面と、起動を所望しない１枚以上の第２の非接触ＩＣカードを収納するための第２収納部が形成された第２面とを表裏一体に備える。第１および第２の非接触ＩＣカードは８６ｍｍ×５４ｍｍの大きさを有し、各々情報が記録されたＩＣチップと、カードの外周付近に配設されたアンテナコイルとを内蔵する。第１面と第２面との間には、第１収納部に収納された第１の非接触ＩＣカードと各辺を揃えて重畳するように配置された磁性体と、それぞれ８６ｍｍ×４７ｍｍ、７３ｍｍ×５４ｍｍ、または７７ｍｍ×４９ｍｍのうちいずれかの大きさを有し、第２収納部に対応して、全面が第２収納部に収納された各第２の非接触ＩＣカードと重畳するように配置された少なくとも２枚の導電体とが介在される。この非接触ＩＣカード収納具は、第１面および第２面の中心線で第１面が外側となり第２面が内側となるよう折畳まれ、第１収納部は、二分された第１面の一方の領域の中央に、収納される第１の非接触ＩＣカードの相対的に長い一辺が中心線に直交または平行する向きに配置され、第２収納部は、この中心線に直交する中心線を対称軸として２列に配置される。第１面の一方の領域に１０Ａ／ｍの磁界が印加されるとき、第１面において、第１収納部が、第１の非接触ＩＣカードの相対的に長い一辺が中心線に直交する向きに配置されている場合には、対応する領域に位置する導電体の２列間の距離が０．６ｍｍ以上であれば、第１の非接触ＩＣカードのみが起動されて第１の非接触ＩＣカードに記録されている情報の読取りが行われ、第２の非接触ＩＣカードは起動されない。また、第１面において、第１収納部が、第１の非接触ＩＣカードの相対的に長い一辺が中心線に平行する向きに配置されている場合には、対応する領域に位置する導電体の２列間の距離が０．１ｍｍ以上であれば、第１の非接触ＩＣカードのみが起動されて第１の非接触ＩＣカードに録されている情報の読取りが行われ、第２の非接触ＩＣカードは起動されない。
【００１２】
また、本発明による非接触ＩＣカード収納具は、導電体を内蔵してなる非接触ＩＣカード収納具であって、起動を所望する１枚の第１の非接触ＩＣカードを収納するための第１収納部が形成された第１面と、起動を所望しない１枚以上の第２の非接触ＩＣカードを収納するための第２収納部が形成された第２面とを表裏一体に備える。第１および第２の非接触ＩＣカードは８６ｍｍ×５４ｍｍの大きさを有し、各々情報が記録されたＩＣチップと、カードの外周付近に配設されたアンテナコイルとを内蔵する。第１面と第２面との間には、それぞれ８６ｍｍ×４７ｍｍ、７３ｍｍ×５４ｍｍ、または７７ｍｍ×４９ｍｍのうちいずれかの大きさを有し、全面が前記第２収納部に収納された前記各第２の非接触ＩＣカードと重畳するように、前記各第２の非接触ＩＣカードと長手方向が同一となる向きに一列に配置された２枚以上の導電体が介在される。この非接触ＩＣカード収納具は、第１面および第２面の中心線で第１面が外側となり第２面が内側となるよう折畳まれ、第１収納部は、二分された第１面の一方の領域に、収納される第１の非接触ＩＣカードの相対的に長い一辺が中心線に平行する向きに配置され、第２収納部は、収納される第２の非接触ＩＣカードの相対的に長い一辺が中心線に直交する向きに配置され、第１面の一方の領域に１０Ａ／ｍの磁界が印加されるとき、第１の非接触ＩＣカードの相対的に長い一辺と、この辺に平行する導電体の端部との間の距離が７ｍｍ以上であるか、または、第１の非接触ＩＣカードの相対的に短い一辺と、この辺に平行する導電体の端部との間の距離が１３ｍｍ以上である場合には、磁界により第１の非接触ＩＣカードのみが起動されて第１の非接触ＩＣカードに記録されている情報の読取りが行われ、第２の非接触ＩＣカードは起動されない。
【００１３】
また、本発明による非接触ＩＣカード収納具は、導電体を内蔵してなる非接触ＩＣカード収納具であって、起動を所望する１枚の第１の非接触ＩＣカードを収納するための第１収納部と、第１の非接触ＩＣカードとは別のタイミングで起動を所望する第３の非接触ＩＣカードを収納するための第３収納部とが形成された第１面と、起動を所望しない１枚以上の第２の非接触ＩＣカードを収納するための第２収納部が形成された第２面とを表裏一体に備える。第１乃至第３の非接触ＩＣカードは８６ｍｍ×５４ｍｍの大きさを有し、各々情報が記録されたＩＣチップと、カードの外周付近に配設されたアンテナコイルとを内蔵する。第１面と第２面との間には、それぞれ第１の非接触ＩＣカードおよび第３の非接触ＩＣカードと各辺を揃えて重畳するように配置された磁性体と、それぞれ８６ｍｍ×４７ｍｍ、７３ｍｍ×５４ｍｍ、または７７ｍｍ×４９ｍｍのうちいずれかの大きさを有し、全面が第２収納部に収納された各第２の非接触ＩＣカードと重畳するように、各第２の非接触ＩＣカードと長手方向が同一となる向きに一列に配置された２枚以上の導電体とが介在される。非接触ＩＣカード収納具は、第１面および第２面の中心線で第１面が外側となり第２面が内側となるよう折畳まれ、第１収納部は二分された第１面の一方の領域に位置し、第３収納部は二分された第１面の他方の領域に位置し、第２収納部は、収納される第２の非接触ＩＣカードの相対的に長い一辺が中心線に直交する向きに配置される。第１面の一方の領域に１０Ａ／ｍの磁界が印加されると、第１の非接触ＩＣカードのみが起動されて第１の非接触ＩＣカードに記録されている情報の読取りが行われ、第１及び第２の非接触ＩＣカードは起動されない。
【発明の効果】
【００１４】
本発明の非接触ＩＣカード収納具によれば、非接触ＩＣカードの全体を取り出すことなく、わずかに移動させるだけで起動可能な状態とすることができる。
また、複数の非接触ＩＣカードを所持している場合も、磁界がカードの表裏どちらから印加されるかにかかわりなく所望の１枚のみを起動可能とすることができる。したがって、使用者は目視による確認を行わなくとも特定の１枚のカードのみを使用することができ、便利である。
【００１５】
さらに、その他のカードは起動されないため、知らず知らずのうちに所望しないカードの起動が発生する事態を防止することができる。
従来のスキミング防止を目的とするカード収納具に比べて導電体を小さくすることができるため、コストの削減を図ることも可能である。
【発明を実施するための最良の形態】
【００１６】
以下、図面を参照して本発明の実施形態について説明する。
まず、一般的に普及している非接触ＩＣカードの構造について簡単に述べる。図１９（ａ）および（ｂ）は、非接触ＩＣカードの内部に配置されたアンテナコイルの形状の例を概略的に示したものである。図示するように、非接触ＩＣカード７０には、略全面にわたってアンテナコイル７００Ａおよび７００Ｂが内蔵されている。
【００１７】
このような非接触ＩＣカード７０に対してカードリーダが磁界を発生すると、コイル７００Ａおよび７００Ｂでは磁束が電流に変換され、非接触ＩＣカード７０に内蔵されたＩＣチップ（図示しない）の電源として利用される。そして、カードリーダからの磁界とは逆向きの磁界が発生し、カードリーダからのリクエストコマンド信号に対する返信が行われる。すなわち、非接触ＩＣカード７０が起動される。こうした一連の動作により、カードリーダは非接触ＩＣカードに記録されている情報を読取ることができる。
【００１８】
ここで、特許文献１および２に記載されているように、非接触ＩＣカード７０の全面を導電体で覆った場合には、カードリーダからの磁界が遮断されるため、非接触ＩＣカードは起動されず、通信が行われないことが知られている。そこでまず、導電体が非接触ＩＣカードとカードリーダとの間における通信に及ぼす影響をさらに明らかにするための実験を行った。
【００１９】
なお、以降、本明細書中において実験に用いる非接触ＩＣカードは、いずれも８６ｍｍ×５４ｍｍの大きさを有し、図１９（ａ）および（ｂ）に示すようにカードの外周付近にアンテナコイルを内蔵したものとする。また、いずれの実験においても、カードリーダの磁界強度は１０Ａ／ｍとする。
【００２０】
［実験１］
まず、導電体の大きさに着目し、非接触ＩＣカードを起動させない最小の大きさを明らかにするための実験を行った。図１（ａ）および（ｂ）はこれを概略的に示したものである。
【００２１】
図示するように、ここではカードリーダ３０の上面に非接触ＩＣカード７０を配置し、さらにその上面に導電体として非接触ＩＣカード７０よりも面積の小さいアルミ箔２０を載置した。そして、アルミ箔２０の大きさを変化させることにより、非接触ＩＣカード７０とカードリーダ３０との間で通信が行われない最小のアルミ箔２０の大きさについて調べた。
【００２２】
すると、非接触ＩＣカード７０とカードリーダ３０との間の通信を遮断することのできる最小のアルミ箔２０の大きさは、８６ｍｍ×４７ｍｍ、７３ｍｍ×５４ｍｍ、および７７ｍｍ×４９ｍｍであることが分かった。この大きさのアルミ箔２０の場合、非接触ＩＣカード７０からはみ出さない限り、カード７０上のどの位置にあってもカード７０の起動を阻止することができる。
【００２３】
さらに、アルミ箔２０の大きさを７４ｍｍ×４４ｍｍとすると、カード７０の中央部に配置する場合に限って起動を阻止できることも分かった。
換言すれば、アルミ箔２０の長手方向の辺の長さが非接触ＩＣカード７０の対応する辺の長さよりも７〜１２ｍｍ短く、長手方向に直交する辺の長さが非接触ＩＣカード７０の対応する辺の長さよりも５〜１０ｍｍ短い場合には、アルミ箔２０は非接触ＩＣカード７０を起動させない。
【００２４】
このように、実験１の結果からは、非接触ＩＣカードの全面もしくは非接触ＩＣカードに内蔵されたアンテナの位置をすべて覆わなくても、導電体の大きさによっては非接触ＩＣカードとカードリーダとの間における通信を阻止可能であることが明らかになった。これは逆に言えば、導電体を小さくすることにより、非接触ＩＣカードとカードリーダとの間の通信が可能となることを意味している。
【００２５】
［実験２］
続いて、導電体と非接触ＩＣカードとの水平方向の位置関係に着目し、非接触ＩＣカード７０と同一の大きさおよび形状のアルミ箔２０を導電体として用いて実験を行った。ここでは、カードリーダ３０上のアルミ箔２０の上面に非接触ＩＣカード７０を載置した後、カード７０を水平方向に徐々に移動させて、非接触ＩＣカード７０とカードリーダ３０との間における通信が可能になる位置を探った。これを図２Ａ、図２Ｂに示す。
【００２６】
図２Ａ（ｂ）に示す実験では、アルミ箔２０と非接触ＩＣカード７０との各辺がぴったり揃った状態から、非接触ＩＣカード７０を長手方向に距離Ｌ１だけ水平移動させた。すると、距離Ｌ１が１３ｍｍとなったところで非接触ＩＣカード７０とカードリーダ３０との通信が可能になった。
【００２７】
一方、図２Ｂ（ｃ）に示す実験では、アルミ箔２０と非接触ＩＣカード７０との各辺がぴったり揃った状態から、非接触ＩＣカード７０を長手方向と直交する方向に距離Ｌ２だけ水平移動させた。すると、距離Ｌ２が７ｍｍとなったところで非接触ＩＣカード７０とカードリーダ３０との通信が可能となった。
【００２８】
距離Ｌ１およびＬ２の長さは、実験１で得られた結果と共通している。すなわち、実験１および２の結果から、非接触ＩＣカード７０の端部とアルミ箔２０の端部との距離が１３ｍｍあるいは７ｍｍ程度になれば、非接触ＩＣカード７０とカードリーダ３０との間の通信が可能になるものと考えられる。
【００２９】
［実験３］
次に、導電体と非接触ＩＣカードとの垂直方向の位置関係に着目し、非接触ＩＣカード７０と同一の大きさおよび形状のアルミ箔２０を導電体として用いて実験を行った。ここでは、図３（ａ）および（ｂ）に示すように、カードリーダ３０上のアルミ箔２０の上面に、アルミ箔２０と各辺をぴったり揃えて非接触ＩＣカード７０を載置した後、カード７０を垂直方向に離隔するよう上方に徐々に移動した。これにより、アルミ箔２０と非接触ＩＣカード７０との間に間隙Ｈ１を設け、カード７０とカードリーダ３０との間における通信が可能であるか否かを調べた。
【００３０】
その結果、非接触ＩＣカード７０とアルミ箔２０とが密着しているときには、カード７０はカードリーダ３０からの磁界を受けても起動しなかった。そして、非接触ＩＣカード７０とアルミ箔２０との間の距離Ｈ１を０ｍｍから５ｍｍ、１０ｍｍ、１５ｍｍ・・・と増加させ、３０ｍｍまで引離しても、非接触ＩＣカード７０は起動されず、カードリーダ３０との通信は行われないことが分かった。
【００３１】
しかしながら、非接触ＩＣカード７０を、例えば長手方向と直交する向きに６ｍｍ程度水平移動させ、アルミ箔２０と重畳しない部分を設けた上で両者を離隔させた場合においては、異なる結果が得られた。すなわち、距離Ｈ１を５ｍｍ〜３０ｍｍに引離したとき、非接触ＩＣカード７０とカードリーダ３０との通信が可能となった。
したがって、非接触ＩＣカード７０とアルミ箔２０とがぴったりと重なっているときには、カードリーダからの磁界がアルミ箔２０を回折して回り込むことはないものと考えられる。
【００３２】
［実験４］
ところで、磁性体には非接触ＩＣカードの通信に影響を与える性質があることが知られている。すなわち、磁性体は、非接触ＩＣカードとカードリーダとの間に配置されると、カードリーダからの磁界を打消して非接触ＩＣカードを起動させない性質を有する。しかし、磁性体とカードリーダとの間に非接触ＩＣカードが配置された場合には、反対に、カードリーダからの磁界を増幅し、非接触ＩＣカードに記録された情報の読取りを助長する。
【００３３】
そこで、実験４として、図４Ａ、図４Ｂに示すように、導電体と非接触ＩＣカードおよび磁性体との水平方向の位置関係に着目し、実験２と同様の実験を行った。
図４Ａ、図４Ｂは、カードリーダ３０の上面に、アルミ箔２０と、非接触ＩＣカード７０と、磁性体４０とを順に載置した状態を示す。アルミ箔２０、非接触ＩＣカード７０および磁性体４０はいずれも同一の大きさおよび形状を有し、カード７０と磁性体４０とは各辺を揃えてぴったり重ねられている。
【００３４】
図４Ａ（ｂ）に示す実験では、先に説明した実験２と同様、アルミ箔２０上で非接触ＩＣカード７０および磁性体４０を徐々に移動させたときのカード７０とカードリーダ３０との通信状況を調べるため、カード７０および磁性体４０を長手方向に距離Ｌ３だけ水平移動させた。すると、距離Ｌ３が０．１ｍｍのところで非接触ＩＣカード７０とカードリーダ３０との通信が可能になった。
【００３５】
一方、図４Ｂ（ｃ）に示す実験では、カード７０および磁性体４０を長手方向と直交する方向に距離Ｌ４だけ水平移動させた。すると、距離Ｌ４が３．５４ｍｍのところで非接触ＩＣカード７０とカードリーダ３０との通信が可能になった。
このように、この実験から、磁性体を用いることによって、導電体のみを用いた場合よりも短い移動距離で非接触ＩＣカードとカードリーダとの通信が可能となることが分かった。
【００３６】
以上の実験１〜４より、導電体の大きさや、導電体と非接触ＩＣカードとの位置関係によっては、非接触ＩＣカードに導電体を装着した場合であっても、カードリーダとの通信が可能となることが分かった。そこで、これらの実験結果を踏まえ、第１の実施形態として図５（ａ）および（ｂ）の断面図に示すような構造を有するカード収納具を発案した。
【００３７】
カード収納具１００Ａは、アルミ箔２０と、ベース素材５０と、カバー素材６０とからなる。このカード収納具１００Ａは２枚の非接触ＩＣカード７０１および７０２を収納可能なものであり、アルミ箔２０をベース素材５０の間に介在させ、さらに、このベース素材５０とカバー素材６０との間に非接触ＩＣカード７０１および７０２が位置するように構成されている。ベース素材５０およびカバー素材６０には、皮革等の材料を用いることができる。
【００３８】
図５（ａ）において、非接触ＩＣカード７０１および７０２は、ベース素材５０を挟んで大部分がアルミ箔２０と重なり合っている。このアルミ箔の大きさは、実験１により明らかになった８６ｍｍ×４７ｍｍ、７３ｍｍ×５４ｍｍ、７７ｍｍ×４９ｍｍのいずれか、または７４ｍｍ×４４ｍｍである。アルミ箔２０が配置されていることにより、カードリーダからの磁界を受けたとしても、カード７０１および７０２はいずれも起動されない。
【００３９】
一方、図５（ｂ）においては、非接触ＩＣカード７０２が上方向にスライドされ、アルミ箔２０の上端と非接触ＩＣカード７０２の上端との間の距離が十分に長くなっている。したがって、カードリーダからの磁界を受けると、カード７０１は起動されないが、カード７０２は起動され、カードリーダとの間で通信が行われる。カードリーダからの磁界が非接触ＩＣカード７０１側から印加されるか、それとも非接触ＩＣカード７０２側から印加されるかは、起動の可否には関係しない。
【００４０】
ただし、このカード収納具１００Ａにおいては、非接触ＩＣカード７０１および７０２のいずれか一方をスライドさせて起動可能とするときには、他方はスライドさせず起動不可能の状態を保たなければならない。カード７０１および７０２の両方をスライドさせた場合には、混信を生じるおそれがあるためである。
【００４１】
さらに、特に実験４により示された磁性体の効果を利用して、本発明の第２の実施形態として図６（ａ）および（ｂ）の断面図に示すような構造を有するカード収納具を発案した。
カード収納具１００Ａ′は、図５に示したカード収納具１００Ａとほぼ同一の構成を有するが、カバー素材６０の内側に磁性体４０が配置され、その内側に非接触ＩＣカード７０１および７０２が位置している点においてのみ異なる。この実施形態によれば、第１の実施形態よりも短い移動距離で非接触ＩＣカードを起動可能とすることができる。
【００４２】
図６（ｂ）においては、非接触ＩＣカード７０２がわずかに上方向にスライドされている。このとき、カードリーダからの磁界を受けると、カード７０１は起動されないが、カード７０２は起動されてカードリーダとの通信が行われる。
【００４３】
第１の実施形態と同様、カードリーダからの磁界が非接触ＩＣカード７０１側から印加されるか、それとも非接触ＩＣカード７０２側から印加されるかは、起動の可否には関係しない。また、磁性体４０を非接触ＩＣカードよりも内側すなわちベース素材５０側に配置しても、非接触ＩＣカードは同様に起動される。
【００４４】
なお、この図５および６に示す第１および第２の実施形態では２枚の非接触ＩＣカードを収納可能であるが、同様にアルミ箔２０と、ベース素材５０と、カバー素材６０とから、非接触ＩＣカードを１枚のみ収納するカード収納具を作製してもよい。そのようなカード収納具の例を図７（ａ）〜（ｄ）に示す。
【００４５】
図７（ａ）および（ｂ）に示すカード収納具１００Ａ″においては、ベース素材５０と枠状に形成されたカバー素材６０とから、非接触ＩＣカード７０を収納するポケットが形成される。このポケットにはカード７０を１枚のみ収納することができる。図示しないアルミ箔または導電体２０は、ベース素材５０内部の下方の、カバー素材６０と重なる位置に内蔵される。導電体２０の大きさは、実験１の結果に倣うものとする。
【００４６】
非接触ＩＣカード７０の全体がポケットに挿入されているときには、導電体２０が配置されていることにより、たとえカードリーダからの磁界を受けてもカード７０は起動されない。このとき、収納具１００Ａ″の使用者は、ベース素材に印字された「ＯＦＦ」の文字により、非接触ＩＣカード７０が起動されていない、すなわちオフ状態であることを一目で知ることができる。
【００４７】
そして、「ＯＦＦ」の文字を隠すように非接触ＩＣカード７０を上方向にスライドすると、先の実験２について参照した図２Ａ（ｂ）に示すように、導電体２０と非接触ＩＣカード７０との位置関係がずれるため、導電体２０の磁界遮蔽効果が及ばなくなり、非接触ＩＣカード７０はカードリーダからの磁界を受けて起動される。
【００４８】
図７（ｃ）および（ｄ）に示すカード収納具１００Ａ″には文字の表示はないものの、図７（ａ）および（ｂ）に示すカード収納具１００Ａ″と同様、非接触ＩＣカード７０の上端とベース素材５０の上端とが揃う位置までカード７０を移動させるだけで、カード７０をカードリーダとの通信が可能な状態にすることができる。
いずれのカード収納具においても、カードリーダとの通信を可能にするために非接触ＩＣカードの全体を取り出す必要はない。
【００４９】
次に、複数の非接触ＩＣカードを収納し、そのうち１枚のみを、移動させることなく起動可能な非接触ＩＣカード収納具の構成について検討を行った。これに伴い、以下の実験を実施した。
【００５０】
［実験５］
図８（ａ）および（ｂ）は、カードリーダ３０の上に配置された２枚の非接触ＩＣカード７０１および７０２の間に、これらの非接触ＩＣカードと同一の大きさおよび形状を有するアルミ箔２０と、比透磁率が２０および４０で非接触ＩＣカードと同一の大きさおよび形状を有する磁性体４０との積層物を介在させた状態を示す。ここでは、このような積層物を介在させた場合に非接触ＩＣカードが起動されるか否かについて、異なる比透磁率（２０および４０）を有する磁性体を用いて実験を行った。
【００５１】
既に述べたように、磁性体は、非接触ＩＣカードとカードリーダとの間に配置されると、カードリーダからの磁界を打消して非接触ＩＣカードを起動させない性質を有する。しかし、磁性体とカードリーダとの間に非接触ＩＣカードが配置された場合には、反対に、カードリーダからの磁界を増幅し、非接触ＩＣカードに記録された情報の読取りを助長する。
【００５２】
このような磁性体の性質を考慮しつつ、まず、２枚の非接触ＩＣカード７０１および７０２の間にアルミ箔２０と磁性体４０との積層物を介在させて、カードリーダ３０と各非接触ＩＣカード７０１および７０２との間の通信状況を調べた。すると、アルミ箔２０に隣接する非接触ＩＣカード７０２および磁性体４０に隣接する非接触ＩＣカード７０１のいずれもが起動されなかった。
【００５３】
続いて、比透磁率が４０の磁性体４０について、その厚さを０．０５ｍｍ、０．１ｍｍ、０．２ｍｍと変化させて、同様の実験を行った。すると、この場合も同様に、アルミ箔２０に隣接する非接触ＩＣカード７０２および磁性体に隣接する非接触ＩＣカード７０１のいずれもが起動されなかった。
すなわち、実験５の構成では、磁界が回折して非接触ＩＣカードを起動させることはないものと考えられる。
【００５４】
［実験６］
次に、アルミ箔と磁性体との間に間隙を設けて、同様にカードリーダ３０と非接触ＩＣカード７０１および７０２との間の通信状況を調べる実験を行った。図９（ａ）および（ｂ）にその様子を示す。
【００５５】
この実験では、アルミ箔２０と磁性体４０との間隙Ｈ２を０．５ｍｍ、１ｍｍ、２ｍｍと変化させた。しかしながら、間隙Ｈ２の長さにかかわらず、カードリーダ３０からの磁界を受けても、アルミ箔２０に隣接する非接触ＩＣカード７０２および磁性体４０に隣接する非接触ＩＣカード７０１のいずれもが起動されなかった。
【００５６】
さらに、図１０に示すように、非接触ＩＣカード７０の各端部から内側に７ｍｍの幅を有する枠状の導電体２０を形成し、これを非接触ＩＣカード７０の上に載置して、カード７０とカードリーダ３０との通信状況を調べたところ、やはり非接触ＩＣカード７０は起動されなかった。
よって、導電体の各端部と非接触ＩＣカードの各端部とが同一の垂直線上にあるときには、たとえ磁性体が存在していても、カードリーダからの磁束は回折せず、磁性体に隣接する非接触ＩＣカードは起動されないものと推察される。
【００５７】
［実験７］
続いて、図１１に示すように、非接触ＩＣカードの各辺からそれぞれ１ｍｍ小さくなるよう形成したアルミ箔２０を用いて、実験５と同様の実験を行った。ここでは、この小さなアルミ箔２０と、非接触ＩＣカードと同一の大きさおよび形状の磁性体４０とを積層させ、この積層物を２枚の非接触ＩＣカード７０１および７０２の間に介在させて、カードリーダ３０と各非接触ＩＣカード７０１および７０２との間の通信状況を調べた。
【００５８】
すると、実験５とは異なり、磁性体４０に隣接する非接触ＩＣカード７０１は起動されることが分かった。その一方で、アルミ箔２０に隣接する非接触ＩＣカード７０２は起動されないという結果が得られた。したがって、導電体と磁性体とを２枚の非接触ＩＣカードの間に介在させる場合には、導電体を小さくすることで、１枚の非接触ＩＣカードとカードリーダとの通信が可能になるといえる。
【００５９】
［実験８］
この実験においては、実験７の結果を踏まえ、先に実験１において明らかになった通信が行われない最小の大きさの導電体およびそれと同一の大きさおよび形状を有する磁性体を用意して積層させた。その上で、図１２（ａ）および（ｂ）に示すように、これらの導電体２０および磁性体４０からなる積層物を２枚の非接触ＩＣカード７０１および７０２の間に介在させ、カードリーダ３０と各非接触ＩＣカード７０１および７０２との間の通信状況を調べた。
【００６０】
この実験において、アルミ箔２０に隣接する非接触ＩＣカード７０２は、カードリーダ３０からの磁界を受けても起動されなかった。一方、磁性体４０に隣接する非接触ＩＣカード７０１は、カードリーダ３０からの磁界により起動された。このとき、非接触ＩＣカード７０１は、カード７０１側から磁界を受けるか、あるいはカード７０２側から磁界を受けるかに関係なく起動された。
【００６１】
以上の実験５〜８より、磁性体と非接触ＩＣカードよりも小さな導電体とを用いることにより、起動させたい非接触ＩＣカードを移動しなくとも、２枚の非接触ＩＣカードのうち一方を起動させ、他方を起動させないことが可能であることが明らかになった。
また、さらに検討を重ねたところ、少なくとも導電体の大きさが実験１により示された大きさの条件を満たしていれば、磁性体が導電体よりも大きい限り、２枚の非接触ＩＣカードのうち一方のみが起動され、他方は起動されないことがわかった。
【００６２】
そこで、第３の実施形態として、図１３の断面図に示すような構造を有するカード収納具を発案した。
カード収納具１００Ｂは、アルミ箔２０と、磁性体４０と、ベース素材５０と、カバー素材６０とからなり、２枚の非接触ＩＣカード７０１および７０２を収納可能に構成される。これらのカード７０１および７０２よりも小さいアルミ箔２０と、このアルミ箔２０と同一の大きさを有する磁性体４０とからなる積層物をベース素材５０の間に介在させ、さらにベース素材５０とカバー素材６０との間に非接触ＩＣカード７０１および７０２が位置する。また、第１の実施形態と同様、ベース素材５０およびカバー素材６０には、皮革等の材料を用いることができる。
【００６３】
図１３において、カードリーダからの磁界を受けたとき、２枚の非接触ＩＣカード７０１および７０２のうち、ベース素材５０を挟んでアルミ箔２０に隣接するカード７０２は、アルミ箔２０により磁界が遮蔽されるため起動されない。一方、ベース素材５０を挟んで磁性体４０に隣接するカード７０１は起動されて、カードリーダとの通信を行う。磁性体４０はこの通信の安定化に寄与するものである。
【００６４】
このとき、第１の実施形態とは異なり、通信を行う非接触ＩＣカード７０１を移動させる必要はない。また、カードリーダからの磁界が非接触ＩＣカード７０１側からのものであるか、それとも非接触ＩＣカード７０２側からのものであるかは、起動の可否には関係しない。
【００６５】
ところで、複数の非接触ＩＣカードを所持する場合、カード専用のケースに収納して携帯する場合もあれば、財布のカード用ポケットに収納して持ち歩く場合もある。そこで、複数の非接触ＩＣカードを収納し、そのうち１枚のみを起動させることができ、且つ第３の実施形態と同様に起動させるカードを移動させる必要のない財布の構成について検討を行った。
【００６６】
一般的な財布の形態の例としては、図１４（ａ）に示すような長財布と、図１４（ｂ）に示すような二つ折り財布とが挙げられる。これらの財布は、長財布については破線Ｘで、二つ折り財布については破線Ｙで、それぞれ折畳んで携帯される。そこで、この点を考慮して、導電体および磁性体を財布のどの位置に配置すればよいかを明らかにするため、以下の実験を行った。
【００６７】
［実験９］
図１５Ａ、図１５Ｂは、カードリーダ３０の上にアルミ箔２０１および２０２を配置し、その上面に１枚の非接触ＩＣカード７０を載置した状態を示す。ここでは、アルミ箔２０１と２０２とをカードリーダ３０の中央部から端部方向に徐々に移動させて離隔し、通信可能となる距離を調べる実験を行った。
【００６８】
非接触ＩＣカード７０は、アルミ箔２０１および２０２がカードリーダ３０の中央部で近接している場合には、磁界を受けても起動されない。しかし、図１５Ａ（ｂ）に示すようにカード７０を縦方向に配置してアルミ箔２０１と２０２とを離隔させた場合には、その間の距離Ｌ５が２ｍｍになれば、カード７０とカードリーダ３０との通信が可能となることが分かった。
【００６９】
また、図１５Ｂ（ｃ）に示すようにカード７０を横方向に配置した場合には、アルミ箔２０１と２０２との間の距離Ｌ６が６．５ｍｍになれば、カードリーダ３０との通信が可能となることが分かった。
【００７０】
［実験１０］
次に、非接触ＩＣカード７０と磁性体４０とを重ねた状態で、実験９と同様の実験を行った。すなわち、図１６Ａ、図１６Ｂに示すように、カードリーダ３０の上に２枚のアルミ箔２０１および２０２を配置し、その上面にカード７０および磁性体４０を載置した上で、アルミ箔２０１および２０２を徐々に離隔させて、通信可能となる距離を探った。
【００７１】
すると、図１６Ａ（ｂ）に示すように非接触ＩＣカード７０および磁性体４０を縦方向に配置した場合には、アルミ箔２０１と２０２との間の距離Ｌ７が０．１ｍｍになれば、カード７０とカードリーダ３０との間での通信が可能となることが分かった。
また、図１６Ｂ（ｃ）に示すようにカード７０および磁性体４０を横方向に配置した場合には、アルミ箔２０１と２０２との間の距離Ｌ８が０．６ｍｍになれば、カード７０とカードリーダ３０との間での通信が可能となることが分かった。
【００７２】
以上の実験結果に鑑みると、第４の実施形態として、図１７に示すような長財布および図１８に示すような二つ折り財布を製作することができる。
【００７３】
図１７に示す長財布１００Ｃは、導電体２０１〜２０８と、磁性体４０とを内蔵して構成される。財布の外側の、磁性体４０の裏側にあたる部分には、非接触ＩＣカードを１枚のみ収納可能なポケット（図示しない）が設けられ、ここに収納された非接触ＩＣカードは、カードリーダからの磁界を受けて起動され通信を行う。このとき、磁性体４０は導電体２０１〜２０８よりも財布の内側または外側のいずれに配置されてもよい。
【００７４】
また、財布１００Ｃの内部に設けられているカード用ポケットに収納される非接触ＩＣカードについては、その裏側に配置された導電体２０１〜２０８により、カードリーダからの磁界を受けても起動されることがない。
【００７５】
したがって、この財布１００Ｃによれば、複数の非接触ＩＣカードのうち、例えば最も使用頻度の高い１枚の非接触ＩＣカードを外側のポケットに収納して便利に使用するとともに、その他のカードを内側のポケットに収納して、スキミングや混信による誤動作を防止することができる。
【００７６】
なお、図１７に示す財布１００Ｃでは、導電体２０３、２０４、２０７、２０８の近傍に磁性体４０および外側のポケットを１箇所のみ設けているが、導電体２０１、２０２、２０５、２０６の近傍にも同様に磁性体および外側のポケットを配置することが可能である。その場合には、財布１００Ｃを折畳んだ状態で一方の外側ポケットのみをカードリーダにかざして使用する。このとき、内側のポケットおよび他方の外側ポケットに収納されている非接触ＩＣカードは起動されないので、スキミングや混信による誤動作は発生しない。
【００７７】
これに対し、図１８に示す２通りの二つ折り財布１００Ｄおよび１００Ｄ′は、それぞれ導電体２０１〜２０３と、磁性体４０とを内蔵して構成される。長財布１００Ｃと同様に、財布の外側の、磁性体４０の裏側にあたる部分には、非接触ＩＣカードを１枚のみ収納可能なポケット（図示しない）が設けられ、ここに収納された非接触ＩＣカードは、カードリーダからの磁界を受けて起動され通信を行う。なお、財布１００Ｄにおいて、磁性体４０は導電体２０１〜２０３よりも財布の内側または外側のいずれに配置されてもよい。
【００７８】
また、財布１００Ｄおよび１００Ｄ′の内部に設けられているカード用ポケットに収納される非接触ＩＣカードについては、その裏側に配置された導電体２０１〜２０３により、カードリーダからの磁界を受けても起動されることがない。
【００７９】
したがって、財布１００Ｄおよび１００Ｄ′においても、複数の非接触ＩＣカードのうち、例えば最も使用頻度の高い１枚の非接触ＩＣカードを外側のポケットに収納して便利に使用するとともに、その他のカードは内側のポケットに収納して、スキミングや混信による誤動作を防止することが可能である。
【００８０】
これらの財布１００Ｃ、１００Ｄおよび１００Ｄ′においては、使用するアルミ箔の大きさを実験１で得られた結果に基づいて定めることにより、コストを最小限に抑えることができるという効果もある。
【００８１】
以上、本発明の好適な実施形態について説明したが、本発明はこれらの実施形態に限定されることなく、様々に実現することができる。例えば、導電体としてはアルミ箔を用いたが、これに限らず他の導電体を用いることが可能である。また、磁性体としてはフェライトをはじめ様々な磁性体を用いることが可能である。さらに、各カード収納具の形態についても、適宜変更することができることは言うまでもない。
【図面の簡単な説明】
【００８２】
【図１】非接触ＩＣカードの起動を阻止する最小の大きさの導電体を調べるための実験を説明する図。
【図２Ａ】非接触ＩＣカードと導電体との位置関係による通信可能距離を調べるための実験を説明する図（その１）。
【図２Ｂ】非接触ＩＣカードと導電体との位置関係による通信可能距離を調べるための実験を説明する図（その２）。
【図３】導電体における磁束の回折を調べるための実験を説明する図。
【図４Ａ】非接触ＩＣカードと導電体および磁性体との位置関係による通信可能距離を調べるための実験を説明する図（その１）。
【図４Ｂ】非接触ＩＣカードと導電体および磁性体との位置関係による通信可能距離を調べるための実験を説明する図（その２）。
【図５】本発明の第１の実施形態による非接触ＩＣカード収納具を説明する図。
【図６】本発明の第２の実施形態による非接触ＩＣカード収納具を説明する図。
【図７】本発明の第１および第２の実施形態による非接触ＩＣカード収納具を説明する図。
【図８】導電体および磁性体における磁束の回折を調べるための実験を説明する図。
【図９】導電体および磁性体における磁束の回折を調べるための実験を説明する図。
【図１０】導電体および磁性体における磁束の回折を調べるための実験を説明する図。
【図１１】導電体および磁性体における磁束の回折を調べるための実験を説明する図。
【図１２】最小の大きさの導電体および磁性体における磁束の回折を調べるための実験を説明する図。
【図１３】本発明の第３の実施形態による非接触ＩＣカード収納具を説明する図。
【図１４】一般的な財布の形態を説明する図。
【図１５Ａ】導電体における磁束の回折を調べるための実験を説明する図（その１）。
【図１５Ｂ】導電体における磁束の回折を調べるための実験を説明する図（その２）。
【図１６Ａ】導電体および磁性体における磁束の回折を調べるための実験を説明する図（その１）。
【図１６Ｂ】導電体および磁性体における磁束の回折を調べるための実験を説明する図（その２）。
【図１７】本発明の第４の実施形態による非接触ＩＣカード収納具を説明する図。
【図１８】本発明の第４の実施形態による非接触ＩＣカード収納具を説明する図。
【図１９】非接触ＩＣカード内部のアンテナコイルの配置例を示す図。
【符号の説明】
【００８３】
１００Ａ  非接触ＩＣカード収納具
２０  導電体／アルミ箔
５０  ベース素材
６０  カバー素材
７０１、７０２  非接触ＩＣカード
【図１】
2009099122.tif 000003
【図２Ａ】
2009099122.tif 000004
【図２Ｂ】
2009099122.tif 000005
【図３】
2009099122.tif 000006
【図４Ａ】
2009099122.tif 000007
【図４Ｂ】
2009099122.tif 000008
【図５】
2009099122.tif 000009
【図６】
2009099122.tif 000010
【図７】
2009099122.tif 000011
【図８】
2009099122.tif 000012
【図９】
2009099122.tif 000013
【図１０】
2009099122.tif 000014
【図１１】
2009099122.tif 000015
【図１２】
2009099122.tif 000016
【図１３】
2009099122.tif 000017
【図１４】
2009099122.tif 000018
【図１５Ａ】
2009099122.tif 000019
【図１５Ｂ】
2009099122.tif 000020
【図１６Ａ】
2009099122.tif 000021
【図１６Ｂ】
2009099122.tif 000022
【図１７】
2009099122.tif 000023
【図１８】
2009099122.tif 000024
【図１９】
2009099122.tif 000025